(57)【要約】      （修正有）【課題】背景の実体物に合わせて表示画像の位置や大きさを適宜あるいは自動的に変更して画像を表示する透過型の画像再生装置を提供する。【解決手段】透明ビュワー１の把持部３のメモリ装着部９にはメモリカード７が着脱自在に装着される。画像を操作ボタン６で選択し、シート１１に貼って保管されているチケット１０に透明ビュワー１を接近させると画像表示部２の背面に配設されているループ状の透明アンテナによりチケット１０に添付されている無線タグ１３の位置が検出され、チケット１０を透視する箇所が非表示領域に設定さる。その非表示領域以外の表示領域に選択された画像が表示され、使用者はチケット１０の透明ビュワー１の画像表示部２を透して眺めながら他方ではその画像表示部２に表示されている複数の画像１２（１２ａ、１２ｂ、１２ｃ、１２ｄ）をチケット１０が見える位置を避ける位置に表示してチケット１０と画像１２とを共に観賞する。【選択図】      図１
2006145922.tif 000002
【特許請求の範囲】
【請求項１】
前面側に画像を表示するともに、背面側からの光を前面側に透過させて前面側から背面側が視認可能な光透過性を有する画像表示手段と、
前記画像表示手段の画面の一部の領域を、画像表示をさせない非表示領域として設定する設定手段と、
前記非表示領域以外の領域に画像を表示するよう前記画像表示手段を制御する表示制御手段と、
を備えることを特徴とする画像再生装置。
【請求項２】
前記設定手段は、当該画像再生装置近傍における実体物の存在を検出する検出手段を有し、前記実体物の存在に基づいて前記非表示領域を設定する、ことを特徴とする画像再生装置。
【請求項３】
前記検出手段は、前記実体物に付帯された無線タグからの信号を受信する受信部を有する、ことを特徴とする請求項２記載の画像再生装置。
【請求項４】
前記受信部は、前記画像表示手段の画面上に複数配置され、前記設定手段は前記受信信号の分布に基づいて前記非表示領域を設定する、ことを特徴とする請求項２記載の画像再生装置。
【請求項５】
前記設定手段は、操作指示によって前記非表示領域を設定する、ことを特徴とする請求項１記載の画像再生装置。
【請求項６】
前記非表示領域を設定するための前記操作指示のための部材として、前記画像表示手段の前面側にタッチパネルを備える、ことを特徴とする請求項５記載の画像再生装置。
【請求項７】
前記表示制御手段は、前記非表示領域以外の領域である表示許可領域に、当該表示許可領域の大きさと表示する画像数に応じて画像を表示させるよう制御する、ことを特徴とする請求項１記載の画像再生装置。
【請求項８】
前記画像表示手段は薄板状に構成され、前記画像表示手段の側部に把持部を備えることを特徴とする請求項１記載の画像再生装置。
【請求項９】
前記把持部は内部に画像を記憶する画像記憶手段を保持することを特徴とする請求項８記載の画像再生装置。
【請求項１０】
前面側に画像を表示するともに、背面側からの光を前面側に透過させて前面側から背面側が視認可能な光透過性を有する画像表示手段を備える画像再生装置における表示方法において、
前記画像表示手段の画面の一部の領域を画像表示をさせない非表示領域として設定し、
前記非表示領域以外の領域に画像を表示する、
ことを特徴とする表示方法。
【請求項１１】
眼鏡型ビュワー使用者の目の近傍に配置されて画像を観察可能に提供する画像再生装置において、
画像信号を出力する再生部と、
出力された画像を表示する画像表示素子と、
表示された画像を使用者の目まで導くものであって、使用者の目を覆う位置に配置される部分については前方が視認可能なように透過性を有する光学手段と、
表示領域の一部を使用者の前方視認可能な領域とするように、表示領域の一部を画像表示をさせない非表示領域として設定する設定手段と、
前記非表示領域以外の領域に画像が表示されるように再生部を制御する制御手段と、
を備えることを特徴とする画像再生装置。
【請求項１２】
前記設定手段は、当該画像再生装置近傍における実体物の存在を検出する検出手段を有することを特徴とする請求項１１記載の画像再生装置。
【発明の詳細な説明】
【技術分野】
【０００１】
本発明は、背面側が視認できる光透過型の表示部からなる画像再生装置に関する。
【背景技術】
【０００２】
近年、デジタルカメラが一般的に広く利用されるようになっている。そして、撮影された画像データを表示する装置についても、単なる机の上に置く形式の表示装置ばかりではなく、色々な形式が製品化あるいは提案されている。
【０００３】
その中でも、ＬＣＤ（liquid crystal display）やＥＬ（electro luminescent ）を表示素子とする薄型タイプの表示装置が携帯性の利点もあり、開発が活発である。例えばＥＬを利用した表示装置としては、シート状の表示媒体が提案されている。（例えば、特許文献１参照。）
そして更に、そのＥＬを表示素子とするものの中で、電極等を透明材で構成して直接画像を表示する範囲以外が透明性を有するようなＥＬ表示体から構成される透過型の表示装置がある。
【０００４】
そして、例えば、この透明な画像表示装置に表示される情報の変更あるいは修正が容易なタッチパネルセンサが付いた画像表示装置も提案されている（例えば、特許文献２参照。）
このような装置では、従来出来なかった実体物と撮影画像を相互に比較観察することも容易にできる。
【特許文献１】特開平２００３−１５０１００号公報
【特許文献２】特開２０００−３３１５５７号公報
【発明の開示】
【発明が解決しようとする課題】
【０００５】
ところで、上記の先行例にあるような透過型の表示装置では、背景に存在する物が透過で確認できるという点で通常の表示装置にはない大きな利点がある。
ところが、このような装置では、画像を大きく表示すると背景が見えなくなるし、逆に背景にあるものの視認性を向上させるために、画像の大きさを小さくすると、表示画像の視認性に欠けるというように、表示画像と背景にある実体物の視認性のバランスをいかに図るかが大きな問題になる。
【０００６】
また、後ろにある実体物が表示画像に対して時間とともに移動するような場合にも、背景の実体物が表示画像の後ろに隠れてしまい、これを視認できなくなるという問題も残されている。
【０００７】
一方、表示画像の位置と大きさを変更すること自体は信号処理上容易であるが、その都度適切な位置や大きさに変更することは容易でなく、かつ煩わしい操作が必要となって、とても容易であるとはいえない。
【０００８】
本発明の課題は、上記従来の実情に鑑み、透過型の画像再生装置において、背景の実体物に合わせて表示画像の位置や大きさを適宜あるいは自動的に変更して画像を表示する画像再生装置を提供することである。
【課題を解決するための手段】
【０００９】
以下に、本発明に係わる画像再生装置の構成を述べる。
先ず、第１の発明の画像再生装置は、前面側に画像を表示するともに、背面側からの光を前面側に透過させて前面側から背面側が視認可能な光透過性を有する画像表示手段と、上記画像表示手段の画面の一部の領域を、画像表示をさせない非表示領域として設定する設定手段と、上記非表示領域以外の領域に画像を表示するよう上記画像表示手段を制御する表示制御手段と、を備えて構成される。
【００１０】
上記設定手段は、例えば当該画像再生装置近傍における実体物の存在を検出する検出手段を有し、上記実体物の存在に基づいて上記非表示領域を設定するように構成される。
また、上記検出手段は、例えば上記実体物に付帯された無線タグからの信号を受信する受信部を有するように構成される。
【００１１】
この場合、上記受信部は、例えば上記画像表示手段の画面上に複数配置され、上記設定手段は上記受信信号の分布に基づいて上記非表示領域を設定するように構成されるのが好ましい。
【００１２】
また、上記設定手段は、操作指示によって上記非表示領域を設定するように構成してもよい。
この画像再生装置において、例えば上記非表示領域を設定するための上記操作指示のための部材として、上記画像表示手段の前面側にタッチパネルを備えるように構成してもよい。
【００１３】
また、上記表示制御手段は、例えば上記非表示領域以外の領域である表示許可領域に、当該表示許可領域の大きさと表示する画像数に応じて画像を表示させるよう制御するように構成される。
【００１４】
また、例えば上記画像表示手段は薄板状に構成され、上記画像表示手段の側部に把持部を備えるように構成されるのが好ましい。
その場合、例えば上記把持部内部に画像を記憶する画像記憶手段を備えることが好ましい。
【００１５】
次に、第２の発明の画像再生装置における表示方法は、前面側に画像を表示するともに、背面側からの光を前面側に透過させて前面側から背面側が視認可能な光透過性を有する画像表示手段を備える画像再生装置における表示方法において、上記画像表示手段の画面の一部の領域を画像表示をさせない非表示領域として設定し、上記非表示領域以外の領域に画像を表示するように構成される。
【００１６】
更に、第３の発明の画像再生装置は、眼鏡型ビュワー使用者の目の近傍に配置されて画像を観察可能に提供する画像再生装置において、画像を表示する画像表示素子と、表示された画像を使用者の目まで導くものであって、使用者の目を覆う位置に配置される部分については前方が視認可能なように透過性を有する光学手段と、表示領域の一部を使用者の前方視認可能な領域とするように、表示領域の一部を画像表をさせない非表示領域として設定する設定手段と、上記非表示領域以外の領域に画像を表示する表示制御手段と、を備えて構成される。
【００１７】
上記設定手段は、例えば当該画像再生装置近傍における実体物の存在を検出する検出手段を有するように構成される。
【発明の効果】
【００１８】
本発明によれば、透過型の画像再生装置において背景の実体物に合わせて表示画像の位置や大きさを適宜あるいは自動的に変更して画像を表示するので、使い勝手の良い画像再生装置を提供することが可能となる。
【発明を実施するための最良の形態】
【００１９】
以下、本発明の実施の形態を図面を参照しながら説明する。なお、以下の説明において上記画像表示手段は、例えば透明ビュワー１、画像表示部２等から成り、又は例えばＬＣＤ３６等から成り、上記設定手段は、例えばＢ−ＣＰＵ１４等から成り、又は例えばＧ−ＣＰＵ５２等から成り、上記表示制御手段は、例えばＢ−ＣＰＵ１４等から成り、又は例えばＧ−ＣＰＵ５２等から成り、上記実体物は、例えばチケット１４等から成り、上記検出手段は、例えばループアンテナ２５等から成り、又は例えばアンテナ送受信部４８等から成り、そして、上記光学手段は、例えばレンズ群４６、自由曲面プリズム４７等から成る。
【実施例１】
【００２０】
図１は、背後の実体物（例としてチケット）と表示画面の画像とを同時に観賞できる透明ビュワーの外観斜視図である。同図に示すように、透明ビュワー１は、例えば略Ａ４判程度の大きさの透明な画像表示部２と、この画像表示部２の右端側部に沿って形成されている把持部３を備えている。
【００２１】
把持部３は、これを右手４で把持すれば、透明ビュワー１を空中に容易に保持することができるようになっている。把持部３の上端部にスピーカ５が配設され、その下方の、把持部３を把持する右手４の親指で容易に操作が可能な位置に、上下２個の操作ボタン６が配設されている。また、把持部３には、複数の画像データファイルが記録されているメモリカード７を、下部の開口８から矢印ａで示すように着脱自在に装着可能なメモリ装着部９が設けられている。
【００２２】
この透明ビュワー１を用いることによって、例えばスクラップブックのページのようにＡ４判程度の適宜のシート１１に貼って保管されているチケット１０を、半分は透明ビュワー１の画像表示部２越しに眺めながら、他方ではその画像表示部２に表示されている複数の画像１２（１２ａ、１２ｂ、１２ｃ、１２ｄ）をチケット１０が見える位置を避ける位置に表示させて、チケット１０と画像１２とを共に観賞することができる。
【００２３】
尚、同図に示すチケット１０の例では、無線タグ１３を取り付けられたシール１４がチケット１０の左上角に貼着されている。
ここで、上記の無線タグ１３について説明する。
【００２４】
一般に、無線タグは、交信距離により分類され、密着型、近傍型（数ミリから数メートル）、遠隔型に分類される。本実施例において用いられる無線タグ１３は、電磁結合型からなる密着型（ＩＳＯ  １０５３６）又は電磁誘導型から成る近傍型（ＩＳＯ  １５６９６）と呼ばれる分類に属し（本例では電磁誘導型から成る近傍型を用いる）、利用周波数は例えば１３．５６ＭＨｚの規格がある。また、一度だけ情報が書き込める安価なワンタイム型が好適である。
【００２５】
また、これらのタグの通信方式は、基本的には同一の原理で動作する。すなわち、電源方式は、無線タグリーダ又は無線タグライタからコイルアンテナを介しての電磁誘導による誘起電圧で電力を受けるパッシブ型であり、この型は、短距離で通信が可能であり、低コスト且つ小型化に適している。
【００２６】
図２は、上記透明ビュワーの構成を示すブロック図である。同図に示すように、透明ビュワー１には、Ｂ−ＣＰＵ１４と、このＢ−ＣＰＵ１４にバス１５を介して接続された音声処理部１６、画像処理部１７、送受信部１８のコントローラ１９、図１に示した画像表示部２、及び着脱自在なメモリカード７が備えられている。Ｂ−ＣＰＵ１４は不図示のＲＯＭに記憶されたプログラムを読み出して、ビュワー１の全体の制御処理を行うコンピュータである。
【００２７】
更にＢ−ＣＰＵ１４には、本体操作部２１と位置検出部２２が直接接続されており、位置検出部２２にはタッチパネル２３が接続されている。このタッチパネル２３は図１において画像表示部（ＥＬ表示装置）２の上面に重ねて配設されている。
【００２８】
また、音声処理部１７には、音声出力部２４を介して図１にも示したスピーカ５が接続されている。更に、送受信部１８には、無線タグ１３からの信号を復調して読み出したり無線タグ１３の位置を検出するための９個のループアンテナ２５（２５−１〜２５−９）が接続されている。
【００２９】
Ｂ−ＣＰＵ１４は、本体操作部２１から入力される操作イベントに基づく不図示の電源部の接続／遮断、及び本体操作部２１又はタッチパネル２３から入力される操作イベントに基づいて、無線タグ１３から送信される信号電波に基づく位置の検出や無線タグ１３の信号電波の復調とを行うことをコントローラ１９に指示する。
【００３０】
また、Ｂ−ＣＰＵ１４は、本体操作部２１又はタッチパネル２３から入力される操作イベントに基づいて、メモリカード７のデータフォルダから画像データファイルを読み出したり、その読み出した画像データファイルによる画像を画像表示部２の所定の位置に表示することを画像処理部１７に指示する。
【００３１】
更に、Ｂ−ＣＰＵ１４は、上記画像表示部２に表示された画像の画像データファイルに関連する音声データファイルがメモリカード７のデータフォルダ中にあるときは、音声出力部２４を介してスピーカ５から上記音声データファイルに基づく音声の放音を行うことを音声処理部１６に指示する。
【００３２】
図３は、上記の透明ビュワー１において上記の無線タグ１３の位置を検出するための９個のアンテナ２５（２５−１〜２５−９）の配置構成を示す図であり、右に透明ビュワー１の模式的側面図を示し、左にその背面図を示している。
【００３３】
図３に示すように、透明ビュワー１の画像表示部２は、その手前側の面２−１にタッチパネル２３が重ねて配設され、背面側の面２−２には、透明電極がループ状に形成されて成る９個のループアンテナ２５が、均等な間隔で後述する仕切り升目の角部に配設されている。
【００３４】
これら９個のループアンテナ２５は、図１に示した状態において、シート１１に取り付けられて保管されていたチケット１０に貼着されているシール１４の無線タグ１３から送信されるリンク情報の信号電波をそれぞれ受信する。
【００３５】
尚、チケット１０は、スクラップブックのページのようなシート１１に貼って保管されると限るものではなく、説明ラベルなどを取り付けた袋に入れて保管されていてもよい。この場合は、袋から取り出したチケット１０を机の上などに置いて、その上から透明ビュワー１を透して見ることになる。
【００３６】
図２に示すＢ−ＣＰＵ１４、９個のループアンテナ２５がそれぞれ受信する無線タグ１３からの信号電波の強弱によって、無線タグ１３の位置、延いてはチケット１０が在る位置を認識し、そのチケット１０が在る位置つまり範囲を、表示画像の非表示領域に設定する。
【００３７】
図４は、上記無線タグ１３からの信号電波の強弱によってチケット１０が在る範囲を表示画像の非表示領域に設定する方法を説明する図である。同図に示すように、透明ビュワー１の画像表示部２は、縦横それぞれ６個の升目になるように仕切られている。
【００３８】
中央の４個の升目の角が集まる画像表示部２の中心に、図３に示したループアンテナ２５−５が配置されている。そして、その中央の４個の升目の周囲を反時計回り方向に取り巻く４個一組の升目の角が集まる８箇所に、図３に示したループアンテナ２５−１、２５−２、２５−３、２５−６、２５−９、２５−８、２５−７、及び２５−４がそれぞれ配置されている。
【００３９】
いま、図１に示した状態において、上記９個のループアンテナ２５（２５−１〜２５−９）が、無線タグ１３から受信した信号電波の受信強度をＨ（high）、Ｌ（Low ）及び０の３段階として、無線タグ１３から受信した信号電波の強弱が、図４に示すように、ループアンテナ２５−１〜２５−４、及び２５−７については強度０、ループアンテナ２５−５、２５−８、及び２５−９については強度Ｌ、そして、ループアンテナ２５−６については強度Ｈであるとする。
【００４０】
Ｂ−ＣＰＵ１４は、上記９個のループアンテナ２５が受信したリンク情報の信号電波の強弱の分布から、例えば強度Ｈの信号電波を受信したループアンテナ２５−６を中心とする４個の升目領域２６、及び、強度０の信号電波を受信したループアンテナ２５−ｉ（図４の例では、ｉ＝１、２、３、４、７）から最も遠い位置に在って強度Ｌの信号電波を受信したループアンテナ２５−９を中心とする４個の升目のうち、上記強度Ｈの信号電波を受信したループアンテナ２５−６を中心とする４個の升目に隣接する２個の升目領域２７を、透明ビュワー１の画像表示部２を透して見えるチケット１０の在る範囲であるとして、この範囲を表示画像の非表示位置２８として設定する。
【００４１】
図５は、上記透明ビュワー１のＢ−ＣＰＵ１４による画像表示部２への画像表示処理の動作を示すフローチャートである。尚、この処理は透明ビュワー１の電源スイッチが操作されて、透明ビュワー１に電源が入力されることにより開始される。
【００４２】
同図において、先ず表示画像が選択される（Ｓ１）。この処理では、メモリカード７に記録されている画像データファイルに基づいて例えばサムネイル画像が画像表示部２に表示され、そのサムネイル画像を見ながら、透明ビュワー１の使用者が本体操作部２１又はタッチパネル２３からの入力操作で、見たい画像を選択する。
【００４３】
続いて、画像の読み出しが行われる（Ｓ２）。この処理では、上記の使用者による入力操作で選択された画像の画像データファイルがメモリカード７から読み出される。そして、画像処理部１７において画像データの伸長処理等を行い、その画像データを不図示の表示用メモリに格納する処理である。
【００４４】
次に、Ｂ−ＣＰＵ１４は、領域規制指示が行われているか否かを判別する（Ｓ３）。この処理では、使用者は、本体操作部２１又はタッチパネル２３によって、マニュアルで非表示領域の指定が可能である。
【００４５】
そして、使用者からの非表示領域の指定が無ければ（Ｓ３がＮ）、続いて、タグ有り検出を行う（Ｓ４）。この処理は、実体物であるチケット１０に、無線タグ１３が取り付けられているか否かを判別する処理であり、９個のループアンテナ２５の全てが受信する信号電波の強度が段階０の強度であれば、Ｂ−ＣＰＵ１４は、チケット１０に無線タグ１３は無いと判断する。
【００４６】
そして、そのようにチケット１０に無線タグ１３が無いときは（Ｓ４がＮ）、通常位置に画像を表示する（Ｓ５）。この処理では、選択されている画像が１枚であれば、その画像が画像表示部２の中央に大きく表示される。また、画像が複数であれば、画像表示部２の全面に均等に配分されて表示される。
【００４７】
その後、Ｂ−ＣＰＵ１４は、タッチパネルで画像接触有りか否かを判別する（Ｓ６）。この処理は、表示されている画像に対して使用者による指先での又は専用ペンでの接触が行われているか否かを判断する処理である。
【００４８】
尚、上記の処理Ｓ４の判別でチケット１０に無線タグ１３が有ると判断されたときは（Ｓ４がＹ）、先ず、非表示位置の設定を行う（Ｓ７）。この処理では、図４で説明した方法により、例えば図４に示すように非表示位置２８が設定される。
【００４９】
上記に続いて Ｂ−ＣＰＵ１４は、表示態様の設定を行う（Ｓ８）。この処理では、画像の表示位置が上記の非表示位置２８とオーバーラップしないように画像表示領域の座標が演算される。
【００５０】
そして、Ｂ−ＣＰＵ１４は、画像表示を行う（Ｓ９）。この処理では、上記座標が演算された画像表示領域に画像が表示される。
図６は、非表示位置２８を避けて且つ設定された表示態様で画像が表示される例を２例示す図である。同図の上は、表示画像が１枚の場合の例であり、非表示位置２８を避けて非表示位置２８の上方に１枚の画像２９ａが表示されている。
【００５１】
また、同図の下は、表示画像が３枚の場合の例であり、非表示位置２８を避けて非表示位置２８の周囲に分散して３枚の画像２９ｂ、２９ｃ、及び２９ｄが表示されている。
これにより、透明ビュワー１の使用者は、例えば図１に示したように、チケット１０の透明ビュワー１の陰になる部分を図６の非表示位置２８を透して見ることにより、チケット１０の透明ビュワー１の陰になる部分と陰にならない部分を連続して完全な１枚のチケット１０として眺めることができると共に、自分が選択した１枚又は複数の画像を同時に眺めることができる。
【００５２】
再び図５に戻り、図５における処理Ｓ３の判別で、領域規制指示があったときは（Ｓ３がＹ）、表示態様の設定をする（Ｓ１０）。そして、その表示態様に基づく画像の表示を行う（Ｓ１１）。
【００５３】
図７は、透明ビュワー１の使用者による領域規制指示の結果と、その領域規制指示に応じた表示態様に基づく画像表示の例を２例示す図である。この例では、先ず透明ビュワー１の適宜の表示領域に領域規制指示を行うか否かを選択するボタンが表示され、使用者３０が本体操作部２１又はタッチパネル２３で、領域規制指示を行うボタンを選択して確定し、任意の境界線３１を指示して、更に規制領域がその境界線３１よりも上であるか下であるかを指示入力する。
【００５４】
同図の上は、規制領域を境界線３１よりも下に指定したときであり、同図の下は、規制領域を境界線３１よりも上に指定したときである。Ｂ−ＣＰＵ１４は、規制領域が境界線３１よりも下に指定されているときは、同図の上に示すように、上記指定された境界線３１の上の領域に画像３２の表示を行う。
【００５５】
また、Ｂ−ＣＰＵ１４は、規制領域が境界線３１よりも上に指定されているときは、同図の下に示すように、上記指定された境界線３１の下の領域に画像３２の表示を行う。
上述した処理Ｓ５、Ｓ９、又はＳ１１の３通りのいずれかの画像表示処理の後、処理Ｓ６のタッチパネルで画像接触有りか否かの判別で、使用者によるタッチパネルでの画像接触が有れば（Ｓ６がＹ）、位置移動であるか否かを判別する（Ｓ１２）。この処理は、使用者が画像に接触させたままの指先を、そのまま所望の方向へ移動させたか否かを判別する処理である。
【００５６】
そして、使用者が画像に接触させたままの指先を所望の方向へ移動させているときは（Ｓ１２がＹ）、その移動先の位置を検出し（Ｓ１３）、その検出した位置に新たな表示位置を設定し、すなわち表示画像の座標を補正して、その設定位置に画像を表示する（Ｓ１５）。
【００５７】
また、処理Ｓ１２の判別で、使用者が画像に接触させたままの指先をそのまま動かさずにいるときは（Ｓ１２がＮ）、その画像に関わる所定のメニューを表示し（Ｓ１６）、使用者がメニューを選択したならば（Ｓ１７）、その選択されたメニューの画像を表示する（Ｓ１８）。
【００５８】
図８は、上記の処理Ｓ１２、Ｓ１６、Ｓ１７、及びＳ１８の処理に従って透明ビュワー１に表示される表示態様の例を示す図である。同図は右から左へ、使用者が画像に接触させたままの指先をそのまま動かさずにいる状態３３−１を示し、次に、その画像に関わる所定のメニューが表示された状態３３−２を示し、更に、使用者がメニューを選択している状態３３−３を示し、そして、その選択されたメニューの画像が表示された状態３３−４を示している。
【実施例２】
【００５９】
上記の実施の形態では、実体物（チケット）に無線タグが取り付けられている例を示しているが、実体物には必ずしも無線タグが取り付けられている訳ではない。
図９は、無線タグの無い実体物を透明ビュワーが検出する方法を示す図である。同図の上は実体物検出時の外観斜視図（図１と逆の方向から見た図）を示し、同図の下は検出部の内部構造と検出方法の原理を示している。
【００６０】
同図において、透明ビュワー１´は、把持部３の内部に検出部３４を備え、検出部３４には、投光窓３５と受光窓３６が設けられ、投光窓３５の背後には赤外ＬＥＤ（liquid crystal display）３７が配置されている。投光窓３５と受光窓３６は把持部３のそれぞれ背面の両端部の近くに配置されている。
【００６１】
また、受光窓３６の背後には、受光レンズ３８とラインセンサ３９が配置されている。赤外ＬＥＤ３７から投光窓３５を介して外部に対し所定の角度で照射された投光光４１は、近接した位置に在る実体物１０−１に当たって反射光４２−１、又は離れた位置にある実体物１０−２に当たって反射光４２−２となって、受光窓３６に入射し、受光レンズ３８を介してラインセンサ３９上に結像する。
【００６２】
このラインセンサ３９上に結像する受光位置によって、透明ビュワー１´と、実体物１０−１又は１０−２との距離が算出される。この方法はカメラの測距装置として周知の技術である。
【００６３】
尚、この方法で実体物の存在を検出する場合は、近接位置に実体物が在るか否かを知ることができるだけであり、図４で説明したような在り場所までは検知できないので、本例では、非表示領域を実体物の在り場所に合わせて種々設定することはせずに、近接の実体物の検出時に、透明ビュワー１´の表示画面全体の例えば下１／３を非表示領域とするように、処理を実行するとよい。
【実施例３】
【００６４】
図１０は、実施例２における眼鏡型ビュワーの例を模式的に示す図である。同図に示すように、眼鏡型ビュワー４３は、人４４の鼻４４−１と耳４４−２の間に掛け渡され、一方の眼（同図の例では左眼）４４−３で虚像を眺め、他方の眼（図外左方の右眼）では通常の視野で物を見ることが出来る形態のものである。
【００６５】
同図に示すように、眼鏡型ビュワー４３は、画像表示部を構成する画像表示素子であるＬＣＤ（liquid crystal display：液晶表示装置）４５、その画像表示面の前方に配置されたレンズ群４６、その前方に、左眼４４−３の前まで延在する自由曲面プリズム４７、及びアンテナ送受信部４８を備えている。レンズ群４６と自由曲面プリズム４７で光学手段を構成する。
【００６６】
人４４は、左眼４４−３で、外部から入射する背景光線４９とオーバーラップさせて、レンズ群４６及び自由曲面プリズム４７を介して、ＬＣＤ４４に表示される画像の虚像５１を見ることが出来る。
【００６７】
図１１は、上記の眼鏡型ビュワー４３の構成ブロック図である。同図に示すように、眼鏡型ビュワー４３には、Ｇ−ＣＰＵ５２と、このＧ−ＣＰＵ５２にバス５３を介して接続された画像処理部５４、図１０にも示したＬＣＤ４５、図１０では図示を省略したメモリカード５５、及びコントローラ５６が備えられている。Ｇ−ＣＰＵ５２は、不図示のＲＯＭに記憶されたプログラムを読み出して、眼鏡型ビュワー４３の全体制御処理を行うコンピュータである。
【００６８】
更にＢ−ＣＰＵ５２には、本体操作部５７が直接接続され、また、コントローラ５６には、図１０に示したアンテナ送受信部４８を構成する送受信部５８及びこの送受信部５８を介してアンテナ５９が接続されている。上記の送受信部５８は、コントローラ５６の制御のもとに、アンテナ４８を介して実体物１０の無線タグ１３からの信号を復調して読み出し、無線タグ１３の存在を検出する。
【００６９】
Ｇ−ＣＰＵ５２は、本体操作部５７から入力される操作イベントに基づき、不図示の電源部の接続／遮断、コントローラ５６を介して無線タグ１３の信号電波の復調と無線タグ１３の存在検出を行う。
【００７０】
また、Ｇ−ＣＰＵ５２は、本体操作部５７から入力される操作イベントに基づいて、メモリカード５５のデータフォルダから画像データファイルを読み出し、その読み出した画像データファイルによる画像をＬＣＤ４５に表示する。
【００７１】
このとき、Ｇ−ＣＰＵ５２は上記無線タグ１３の存在が検出されていれば、ＬＣＤ４５の表示画面の所定の領域を非表示領域に設定して、上記の画像を再生表示する。
図１２は、上記眼鏡型ビュワー４３のＬＣＤ４５の表示画面の表示例を示す図である。同図に示すＬＣＤ４５の表示画面６１において、Ｇ−ＣＰＵ５２は、コントローラ５６が無線タグ１３の存在を検出しなかったときは、表示画面６１の中央に大きく画像６２（６２−１）を表示し、コントローラ５６が無線タグ１３の存在を検出しているときは、表示画面６１の右下部分の一定領域を非表示領域６３に設定し、この非表示領域６３とオーバーラップしない位置に画像６２（６２−２）を表示する。
【００７２】
これにより、図１０に示す人４４は、左眼４４−３で画像６２−２の虚像５１を眺めると同時に、非表示領域６３を透して、図外の右眼目と共に図１１に実体物１０を眺めることができる。
【実施例４】
【００７３】
ところで、図１に示したチケット１０に貼着されたシール１４に取り付けられている無線タグ１３については、単に透明ビュワー１に位置を知らせるだけでなく、チケット１０に関連する画像データファイルをメモリカード７から読み出すためのリンク情報を発信するように設定することもできる。以下、これを第４の実施の形態として説明する。
【００７４】
図１３は、実施例４としての、カメラによる風景、人物、閲覧物、観覧物、その他の撮影から、その撮影に関連して入手した記念物（例えばチケット）に無線タグを貼付するまでの操作手順を説明する図である。
【００７５】
同図において、先ず、手順Ｓ１において「ＴＩＣＫＥＴ」というチケット６１を入手する。このチケット６１は、行楽地の遊園地、記念館などの入場料、あるいはお寺の拝観料などを支払った後で手元に残る半券などである。勿論、使い終わった後の割り箸の名入りの箸袋やサービスマッチの小箱などであってもよい。
【００７６】
次に、手順Ｓ２において、デジタルカメラで写真６２を撮影する。この写真６２は、遊園地であれば自分の子供が遊び興じている姿、記念館であれば撮影が許可されているものに限るが興味深く感じたもの、お寺であればこれも撮影が許可されているものに限るが屋内では陳列物、屋外では由緒のある池、庭などの庭園のしつらえを背景とした家族の写真、などが一般的に多い。
【００７７】
続いて、手順Ｓ３において、撮影した写真６２をカメラ６３の表示画面６４でプレビューする。このプレビューは、撮影直後でもよく、また撮影が一段落した後でもよく、あるいは旅館やホテルに戻ってからでもよい。要は撮影した写真６２と入手したチケット６１との関連性への記憶が失われないうちであれば何時でもよい。
【００７８】
そして、手順Ｓ４において、上記のプレビューにより所望の画像データ（写真６２）がカメラ６３の表示画面６４に表示されたならば、シャッタボタン６５を押す。これにより、カメラ６３のシール排出口６６から、シール６７が排出される。このシール６７は、シール本体６７−１と台紙（剥離紙）６７−２とからなり、シール本体６７−１には無線タグ６８が予め貼着されている。
【００７９】
この後、手順Ｓ５において、写真の撮影者は、上記のシール６７から台紙（剥離紙）６７−２を剥ぎ取って取り除き、シール本体６７−１をチケット６１の適宜の余白部（図では左上角部）に貼り付ける。
【００８０】
図１４は、実施例４において、無線タグ６８が貼着されたシール６７を排出するカメラ６３の構成を示すブロック図である。同図に示すように、カメラ６３は、カメラ本体６９とリンク情報出力部７１とから成る。
【００８１】
カメラ本体６９には、Ｃ−ＣＰＵ７２と、このＣ−ＣＰＵ７２にバス７３を介して接続された撮像部７４、音声処理部７５、本実施例のリンク情報出力部７１を構成するタグライタ７６のコントローラ７７、画像処理部７８、画像表示部７９、及び着脱自在なメモリカード８１が備えられている。
【００８２】
更にカメラ本体６９には、Ｃ−ＣＰＵ７２に直接接続された本体操作部８２、音声処理部７５に接続された音声出力部８３、この音声出力部８３に接続されたスピーカ接続端子８４、撮像部７４に接続された撮像素子８５、及びこの撮像素子８５の撮像面前方に配置されたレンズ８６が備えられている。
【００８３】
Ｃ−ＣＰＵ７２は、本体操作部８２から入力される操作イベントに基づいて、不図示の電源部の接続／遮断、レンズ駆動部によるレンズ８６のズーム又は焦点の制御、撮像部７４を介しての撮像素子８５の駆動すなわち画像の撮影の制御、画像処理部７８で処理された撮像画像データのメモリカード８１への記録の制御、画像表示部７９を介しての表示装置の表示画面６４（図１３参照）への画像表示の制御、音声出力部８３及びスピーカ接続端子８４を介してスピーカを放音駆動するための音声処理部７５への制御、タグライタ７６のコントローラ７７への指示等を行う。Ｃ−ＣＰＵ７２は、不図示のＲＯＭに記憶されたプログラムを読み出して、カメラ６３の全体制御処理を行うコンピュータである。
【００８４】
リンク情報出力部７１は、上述したタグライタ７６の他に、連続シール８７と送り部８８とを備えている。タグライタ７６は、上述したコントローラ７７の他に、送受信部９１とアンテナ９２を備えている。
【００８５】
連続シール８７は、図１３に示したタグ６８をそれぞれ貼着された複数枚のシール６７が連続して例えばロール状に巻かれた状態で、消耗品としてリンク情報出力部７１に着脱自在に装着されているものである。
【００８６】
タグライタ７６のコントローラ７７は、送受信部９１及びアンテナ９２を介して、無線タグ６８と交信し、無線タグ６８に、画像データとその画像データに関係する実体物とを関係付けるためのリンク情報を書き込む。このリンク情報として画像データのファイル名を用いるとタグのリンク情報に基づいて画像データベースを検索して直ちに画像データファイルを読み出すことができる。
【００８７】
また、リンク情報を所定桁数の番号としてもよい、この場合の画像データファイルとの関連付けについては後述する。
送り部８８は、特には図示しないが、カッター装置、ローラ対、モータ、駆動部、シート位置検出センサ等から成るシール排出装置を備えており、上記のようにリンク情報を書き込まれた無線タグ６８を有するシール６７を、連続シール８７から切り離して、その切り離したシール６７を図１３に示したシール排出口６６から、図１４に示すように外部に排出する。
【００８８】
Ｃ−ＣＰＵ７２は、上記無線タグ６８に書き込まれたリンク情報を、画像処理部７８を介してメモリカード８１に格納される上記の画像データの所定のデータ書込み領域に書き込む。これにより、撮影した写真（画像データ、以下同様）６２とチケット６１との関連付けが完了する。すなわち、無線タグ６８を貼着されたシール６７及び無線タグ６８に書き込まれたリンク情報を介して、実体物としてのチケット６１と、写真６２とがリンクされる。
【００８９】
このように、実施例４のカメラ６３によれば、無線タグ付きシールにより、チケット、入場券の半券、拝観券、あるいはカタログ類等の実体物に貼着可能な状態で、その実体物の入手に関わる風景、人物、拝観物等を撮影した写真の画像データとを関連付けるリンク情報を出力するので、写真撮影者は、カメラからの出力（タグ付きシール）を実体物に貼着することにより、後日そのリンク情報を読み取るだけで、実体物から画像データを検索する等が容易に出来るようになる。また、無線タグの情報は非接触で容易に検出できるので極めて便利であり、使い勝手がよい。
【００９０】
図１５は、メモリカード８１に記録される画像データファイルのデータ構成を示す図である。同図に示す例では、ルートディレクトリＤＣＩＭに作成されているフォルダ００１ＴＡＭＡＢに、３種類のファイルが格納されている。
【００９１】
ファイル領域の先頭には画像データファイルが格納される。同図の例では、画像データファイルＰ７０１０００１．ＪＰＧ、Ｐ７０１０００２．ＪＰＧ、Ｐ７０１０００３．ＪＰＧ、・・・が格納されている。
【００９２】
ファイル領域の中間には、拡張子がＷＡＶで示されるアフレコの音声データが格納される。同図の例では、音声データファイルＰ７０１０００１．ＷＡＶ、Ｐ７０１０００５．ＷＡＢ、・・・が格納されている。音声データファイルＰ７０１０００１．ＷＡＶは画像データファイルＰ７０１０００１．ＪＰＧに対応し、音声データファイルＰ７０１０００５．ＷＡＶは画像データファイルＰ７０１０００５．ＪＰＧに対応している。
【００９３】
また、ファイル領域の後方には、画像に関わるコメントや覚え書きとしてのテキストデータファイルが格納される。同図の例ではテキストデータファイルＰ７０１０００１．ＴＸＴ、・・・が格納されている。テキストデータファイルＰ７０１０００１．ＴＸＴは画像データファイルＰ７０１０００１．ＪＰＧに対応している。
【００９４】
すなわち、音声データファイル、音声データファイル、テキストデータファイルは、拡張子を除いたファイル名が同一のもの同士がそれぞれ対応している。
また、上記の画像データファイルには、メーカーノートと呼ばれる付帯データ領域９３が設けられている。この付帯データ領域９３は、カメラメーカーが任意に利用できる領域であり、本例のカメラ６３においては、同図に示すように、リンクフラグ、リンク情報、撮影日時、撮影場所、撮影者、ジャンルの各データ領域が設けられている。
【００９５】
ここで、リンク情報データ領域には、本例では「１」、「２」、「３」、・・・のように連番で構成される番号データが格納される。この番号データは、例えば図１３及び図１４に示したシール６７の無線タグ６８に書き込まれたリンク情報である。
【００９６】
これによって、例えばリンク情報「２」を書き込まれた無線タグ６８の付いたシール６７を貼着されたチケット６１と、付帯データ領域９３のリンク情報データ領域にリンク情報「２」を格納されている画像データファイルＰ７０１０００２．ＪＰＧが関連付けがなされるようになっている。
【００９７】
また、リンク情報データ領域に「０」が格納されている例えば画像データファイルＰ７０１０００３．ＪＰＧは、この写真と関連付けられる実体物が無いことを示している。
また、付帯データ領域９３のリンクフラグデータ領域には、リンク情報データ領域にリンク情報が格納されている全ての画像データファイルに対して「１」が格納される。これにより実体物に関連のある画像データであるか否かの確認が容易にできるようになる。
【００９８】
尚、実体物を代表的にチケットに置き換えて説明しているが、これに限ることなく、例えば前述したように、使い終わった後の割り箸の名入りの箸袋やサービスマッチの小箱などの、スクラップブックやＡ４判程度の適宜のシートに貼って（サービスマッチ等は平らに展開してから貼る）保管できる記念物になるものであれば何でもよい。
【００９９】
また、リンク情報を１桁の番号として説明したが、２桁以上の番号でも良いことは言うまでも無い。
このようにしてリンク情報によって画像データファイルとの関連付けが行われたチケット６１を、図１に示した透明ビュワー１を透して眺めると、透明ビュワー１の送受信部１８がアンテナ２５を介して、チケット６１の無線タグ６８のリンク情報を読み出し、このリンク情報に基づいて、チケット６１に関連する画像データファイルをメモリカード７（カメラ６３から取り出されて透明ビュワー１に装着されたメモリカード８１）から自動的に読み出し、その読み出した画像データファイルの画像を、図６又は図７に示した表示態様で、透明ビュワー１の画像表示部２に表示する。
【図面の簡単な説明】
【０１００】
【図１】実施例１における背後の実体物（例としてチケット）と表示画面の画像とを同時に観賞できる透明ビュワーの外観斜視図である。
【図２】実施例１における透明ビュワーの構成を示すブロック図である。
【図３】実施例１における透明ビュワーにおいて無線タグの位置を検出するための９個のアンテナの配置構成を示す図である。
【図４】透明ビュワーにおいて無線タグからの信号電波の強弱によってチケットが在る範囲を表示画像の非表示領域に設定する方法を説明する図である。
【図５】透明ビュワーのＢ−ＣＰＵによる画像表示部への画像表示処理の動作を示すフローチャートである。
【図６】透明ビュワーの画像表示部に非表示位置を避けて且つ設定された表示態様で画像が表示される例を２例示す図である。
【図７】透明ビュワーの使用者による領域規制指示の結果とその領域規制指示に応じた表示態様に基づく画像表示の例を２例示す図である。
【図８】タッチパネルでの画像接触でメニューの選択が行われたときの処理に従って透明ビュワーに表示される表示態様の例を示す図である。
【図９】無線タグの無い実体物を透明ビュワーが検出する方法を示す図である。
【図１０】実施例２における眼鏡型ビュワーの例を模式的に示す図である。
【図１１】実施例２における眼鏡型ビュワーの構成ブロック図である。
【図１２】実施例２における眼鏡型ビュワーのＬＣＤの表示画面の表示例を示す図である。
【図１３】実施例４におけるカメラによる撮影からその撮影に関連して入手したチケットに無線タグを貼付するまでの操作手順を説明する図である。
【図１４】実施例４において無線タグが貼着されたシールを排出するカメラの構成を示すブロック図である。
【図１５】実施例４においてメモリカードに記録される画像データファイルのデータ構成を示す図である。
【符号の説明】
【０１０１】
１、１´  透明ビュワー
２      画像表示部
２−１  手前側の面
２−２  背面側の面
３      把持部
４      右手
５      スピーカ
６      操作ボタン
７      メモリカード
８      開口
９      メモリ装着部
１０    チケット
１０−１、１０−２  実体物
１１    シート
１２（１２ａ、１２ｂ、１２ｃ、１２ｄ）  画像
１３    無線タグ
１４    Ｂ−ＣＰＵ
１５    バス
１６    音声処理部
１７    画像処理部
１８    タグリーダ（送受信部）
１９    コントローラ
２１    本体操作部
２２    位置検出部
２３    タッチパネル
２４    音声出力部
２５（２５−１〜２５−９）  ループアンテナ
２６、２７  升目領域
２８    非表示位置
２９ａ、２９ｂ、２９ｃ、２９ｄ  画像
３１    境界線
３２    画像
３３−１〜３３−４  表示態様（透明ビュワーの表示状態）
３４    検出部
３５    投光窓
３６    受光窓
３７    赤外ＬＥＤ（liquid crystal display）
３８    受光レンズ
３９    ラインセンサ
４１    投光光
４２−１、４２−２  反射光
４３    眼鏡型ビュワー
４４    人
４４−１  鼻
４４−２  耳
４４−３  左眼
４５    ＬＣＤ（liquid crystal display：液晶表示装置）
４６    レンズ群
４７    自由曲面プリズム
４８    アンテナ送受信部
４９    背景光線
５１    虚像
５２    Ｇ−ＣＰＵ
５３    バス
５４    画像処理部
５５    メモリカード
５６    コントローラ
５７    本体操作部
５８    送受信部
５９    アンテナ
６１    チケット
６１ａ  余白部
６２    写真（画像データ）
６３    カメラ
６４      表示画面
６５    シャッタボタン
６６    シール排出口
６７    シール
６７−１  シール本体
６７−２  台紙（剥離紙）
６８    無線タグ
６９    カメラ本体
７１    リンク情報出力部
７２    ＣＰＵ
７３    バス
７４    撮像部
７５    音声処理部
７６    タグライタ
７７    コントローラ
７８    画像処理部
７９    画像表示部
８１    メモリカード
８２    本体操作部
８３    音声出力部
８４    スピーカ接続端子
８５    撮像素子
８６    レンズ
８７    連続シール
８８    送り部
９１    送受信部
９２    アンテナ
９３    付帯データ領域
【図２】
2006145922.tif 000003
【図３】
2006145922.tif 000004
【図４】
2006145922.tif 000005
【図５】
2006145922.tif 000006
【図６】
2006145922.tif 000007
【図９】
2006145922.tif 000008
【図１０】
2006145922.tif 000009
【図１１】
2006145922.tif 000010
【図１２】
2006145922.tif 000011
【図１４】
2006145922.tif 000012
【図１５】
2006145922.tif 000013
【図１】
2006145922.tif 000014
【図７】
2006145922.tif 000015
【図８】
2006145922.tif 000016
【図１３】
2006145922.tif 000017